(57)【要約】【課題】  大量のディスク状情報記録媒体を収納可能であり且つその管理が容易になるディスク状情報記録媒体の収納ケースを提供することである【解決手段】  円板状の情報記録媒体をその厚さ方向に複数積み重ねて収納する収納ケースであって、ベース部材と、ベース部材に取り付けられるシャフトと、複数の情報記録媒体を収納し且つシャフトが挿入される貫通穴を有する複数のトレーとを備える収納ケースを提供することのより上記課題を解決する。【選択図】  図１
2007191191.tif 000002
【特許請求の範囲】
【請求項１】
円板状の情報記録媒体をその厚さ方向に複数積み重ねて収納する収納ケースであって、
ベース部材と、
上記ベース部材に取り付けられるシャフトと、
複数の上記情報記録媒体を収納し且つ上記シャフトが挿入される貫通穴を有する複数のトレーとを備える収納ケース。
【請求項２】
さらに、複数の上記情報記録媒体を備える請求項１に記載の収納ケース。
【請求項３】
さらに、蓋を備える請求項１または２に記載の収納ケース。
【請求項４】
上記トレーが、略円板状であり、上記情報記録媒体の外径より大きな径を有し且つ中心に上記貫通穴を有する底板と、該底板の外縁から該底板の表面に垂直な方向に延在した側板とを有することを特徴とする請求項１〜３のいずれか一項に記載の収納ケース。
【請求項５】
上記側板が上記底板の外縁の一部に形成されていることを特徴とする請求項４に記載の収納ケース。
【請求項６】
上記トレーが、上記側板を複数有し、該複数の側板が上記底板の周方向に等間隔で設けられていることを特徴とする請求項５に記載の収納ケース。
【請求項７】
上記底板の周方向と交差する上記側板の端部間の最大距離が、上記底板の周方向に隣り合う上記側板の対向する端部間の最小距離より小さいことを特徴とする請求項６に記載の収納ケース。
【請求項８】
上記側板の底板側及び該底板側とは反対側の端部のうち、一方の端部に凸部が形成され、他方の端部に凹部が形成されており、上記トレーの側板を上記トレーの積み重ね方向に揃えて複数の上記トレーを積み重ねた際に、該積み重ね方向に隣接するトレー間で、一方のトレーの側板の凸部と他方のトレーの側板の凹部とが係合することを特徴とする請求項５〜７のいずれか一項に記載の収納ケース。
【請求項９】
上記底板が、上記底板の上記貫通穴から上記側板が形成されていない上記底板の外縁に向かって延在した切り欠き部を有し、該切り欠き部の幅が上記貫通穴の径以上の大きさであることを特徴とする請求項５〜８のいずれか一項に記載の収納ケース。
【請求項１０】
上記トレーが少なくとも２つの上記側板を有し、上記切り欠き部が、上記底板の上記貫通穴から２つの上記側板間の上記底板の外縁の中央に向かって延在しており、該２つの上記側板の上記切り欠き部側の端部間の最小距離が上記情報記録媒体の外径より大きいことを特徴とする請求項９に記載の収納ケース。
【請求項１１】
上記トレーの底板の少なくとも一方の表面に上記情報記録媒体を支持する支持部が設けられていることを特徴とする請求項４〜１０のいずれか一項に記載の収納ケース。
【請求項１２】
上記トレーの側板の上記底板の貫通穴側とは反対側の表面にインデックスラベルが設けられていることを特徴とする請求項４〜１１のいずれか一項に記載の収納ケース。
【請求項１３】
請求項５〜８のいずれかに記載の収納ケースに用いられるトレーであって、
上記底板が、上記底板の上記貫通穴から上記側板が形成されていない上記底板の外縁に向かって延在した切り欠き部を有し、該切り欠き部の幅が上記貫通穴の径以上の大きさであることを特徴とするトレー。
【発明の詳細な説明】
【技術分野】
【０００１】
本発明は、光ディスク等の情報記録媒体を多数収納するための収納ケース及びトレーに関する。
【背景技術】
【０００２】
近年、ＣＤ−ＲやＤＶＤ−Ｒに代表される光ディスク等のディスク状情報記録媒体は、コンピュータのデータ記録用、映像記録用等の記録媒体として広く普及し、大量のディスク状情報記録媒体を使用するユーザー、いわゆるヘビーユーザーが増加した。そのようなユーザーのために、従来、図１２に示すようなプラスチック製収納ケースに多数枚のディスク状情報記録媒体を収納した商品が販売されている。このような収納ケースは、図１２に示すように、主に、ベース部材１０１と、ベース部材１０１に取り付けられたシャフト１０２（ガイド軸）と、蓋１０４とからなり、ディスク状情報記録媒体１０６の中心穴にシャフト１０２を挿入してディスク状情報記録媒体１０６を保持し、ディスク状情報記録媒体１０６をその厚さ方向に積み重ねて収容した形態で販売されている。
【０００３】
また、上述のような収納ケースとして、従来、ディスク状情報記録媒体に指先等が直接触れることなく容易且つ確実に保持することを可能とし、ディスク状情報記録媒体の記録面を損傷させない収納ケースが提案されている（例えば、特許文献１参照）。
【０００４】
【特許文献１】特開２００１−３５４２８８号公報
【発明の開示】
【発明が解決しようとする課題】
【０００５】
図１２に示すような収納ケースに情報記録媒体が収納されたものを購入した場合、通常、ユーザーは、収納ケースから取出した情報記録媒体に情報を記録した後、その情報記録媒体を別個の保存用収納ケース等に移して保管することが多い。何故なら、図１２に示すような収納ケースでは、大量の情報記録媒体をその厚さ方向に積み重ねて収納するので、情報記録後の情報記録媒体をこのような収納ケースに戻して保管した場合、ユーザーが収納ケースから所望の情報記録媒体を即座に選び出して取り出すことが困難となり、管理が不便なためである。それゆえ、従来、ユーザーは、別個に保存用の収納ケース等を用意して情報記録後の情報記録媒体を保存することが多い。
【０００６】
また、ユーザーが情報記録後の情報記録媒体を別の保存用の収納ケース等に保存する場合、図１２の収納ケースに収納されている情報記録媒体を全て使用した後は、その収納ケースを廃棄することになる。図１２に示すような収納ケースはその寸法が大きいため、大きなゴミとなってしまう。これは、近年の省資源・省廃棄物という傾向にも逆行することになる。
【０００７】
さらに、情報記録媒体を１枚ずつ個別ケースで保管すると、収納スペースが大きくなり、その管理が煩雑になる恐れもある。
【０００８】
本発明は、上記課題を解決するためになされたものであり、本発明の目的は、大量の情報記録媒体が収納可能であり且つ収納された情報記録媒体の管理が容易になる収納ケース及びトレーを提供することである。
【課題を解決するための手段】
【０００９】
本発明の第１の態様に従えば、円板状の情報記録媒体をその厚さ方向に複数積み重ねて収納する収納ケースであって、ベース部材と、上記ベース部材に取り付けられるシャフトと、複数の上記情報記録媒体を収納し且つ上記シャフトが挿入される貫通穴を有する複数のトレーとを備える収納ケースが提供される。
【００１０】
本発明の収納ケースでは、さらに、複数の上記情報記録媒体を備えることが好ましい。
【００１１】
本発明の収納ケースでは、複数のディスク状情報記録媒体（以下、単に情報記録媒体ともいう）を収納するトレーを複数備えており、情報記録媒体をトレー単位で小分けして収容することができる。例えば、５０枚の情報記録媒体を収納可能な本発明の収納ケースでは、トレー１毎当たりに１０枚収納可能なトレーを用いた場合、１０枚×５パック（トレー）のようにして５０枚の情報記録媒体を収納することができる。このような構造の収納ケースを用いると、関連性のある情報（例えば、連続テレビドラマ等）をトレー単位で記録することができる。そして、この場合、トレーに収納されている複数の情報記録媒体には関連性のある情報が記録されているので、トレー単位で情報記録媒体を管理することも可能となる。すなわち、本発明の収納ケースは保存用収納ケースとして用いることもできる。それゆえ、本発明の収納ケースでは、収納ケースを廃棄する必要も無くなるので省資源・省廃棄物の観点からも好適な収納ケースである。
【００１２】
また、図１２に示すような従来の収納ケースで所望の情報記録媒体を取り出す場合には、収納ケース内に収容された情報記録媒体のうち最上位置の情報記録媒体から所望の情報記録媒体まで順次取り出す必要があった。しかしながら、本発明の収納ケースでは、複数の情報記録媒体がトレー単位で小分けして収容されるので、所望の情報記録媒体を収納ケースから取り出す際には、まず、所望の情報記録媒体が収容されているトレーを取り出し、次いで、取り出したトレー内から所望の情報記録媒体を取り出す。それゆえ、従来より効率良く所望の情報記録媒体を取り出すことができ、情報記録媒体の検索性も向上させることができる。さらに、本発明の収納ケースでは、トレーに情報記録媒体が収容されるので、所望の情報記録媒体を収納ケースから探す際に、トレーをシャフトから外して机上などに置いても情報記録媒体の記録面が机上などに直接接しないので、操作性も向上する。
【００１３】
本発明の収納ケースでは、さらに、蓋を備えることが好ましい。上述のように、本発明の収納ケースは、保存用の収納ケースとしても用いることができるので、収納された情報記録媒体の情報の安全性を確保するためには、上記複数のトレーを覆うような蓋を備える方が好ましい。
【００１４】
本発明の収納ケースでは、上記トレーが、略円板状であり、上記情報記録媒体の外径より大きな径を有し且つ中心に上記貫通穴を有する底板と、該底板の外縁から該底板の表面に垂直な方向に延在した側板とを有することが好ましい。トレーに側板を設けることにより、情報記録媒体をトレー内に収納し易くなるのはもちろん、トレーに情報記録媒体を収納した状態でも持ち運んでも、情報記録媒体がトレーから飛び出し難くなり、トレーの持ち運び等の操作性も向上する。
【００１５】
本発明の収納ケースでは、上記側板が上記底板の外縁の一部に形成されていることが好ましい。トレーの底板の外縁の一部に側板を設けることにより、側板が形成されていない領域でトレー内に収納されている情報記録媒体の外周端部を露出させることができる。このような構造にすると、トレーから情報記録媒体の取り出すことが容易になる。
【００１６】
本発明の収納ケースでは、上記トレーが、上記側板を複数有し、該複数の側板が上記底板の周方向に等間隔で設けられていることが好ましい。また、上記底板の周方向と交差する上記側板の端部間の最大距離が、上記底板の周方向に隣り合う上記側板の対向する端部間の最小距離より小さいことが好ましい。
【００１７】
上述のように、本発明の収納ケースでは、トレー単位で関連性のある情報を情報記録媒体に記録して管理することができる。しかしながら、関連性のある情報を記録した情報記録媒体の枚数が１トレー当たりの収納可能枚数未満である場合、関連性のある情報を記録した情報記録媒体のみをトレーに収納して、トレーの側板を積み重ね方向に揃うようにしてトレーを積み重ねると、収納枚数が１トレー当たりの収納可能枚数未満であるトレー内の最上位置の情報記録媒体と該トレーの上に積み重ねられたトレーの下面との間に空きスペースができる。この場合、収納ケースに収納される情報記録媒体の枚数が、収納ケースの収容可能枚数より少なくなる恐れがある。
【００１８】
本発明の収納ケースのように、トレーの底板の周方向に等間隔で複数の側板を設け、底板の周方向と交差する側板の端部間の最大距離が、周方向に隣り合う側板の対向する端部間の最小距離より小さくした場合には、収納枚数が１トレー当たりの収納可能枚数未満であるトレー（下側のトレー）の側板と、その上に積み重ねるトレー（上側のトレー）の側板とを周方向にオフセットさせ、上側のトレーの側板を下側のトレーの側板間に挿入するように積み重ねることができる。この場合、下側のトレー内の積み重ね方向にできた空きスペースに上側のトレーが挿入されることになるので、下側のトレー内の積み重ね方向の空きスペースを無くすことができる。それゆえ、本発明の収納ケースのトレーを上述のような構造にすると、収納ケースに収納可能枚数の情報記録媒体を確実に収納することが可能になる。
【００１９】
なお、上述のような構造のトレーでは、底板の周方向と交差する側板の端部間の最大距離を、周方向に隣り合う側板の対向する端部間の最小距離より小さくしすぎると、収納枚数が１トレー当たりの収納可能枚数未満であるトレー（下側のトレー）の側板と、その上に積み重ねるトレー（上側のトレー）の側板とを周方向にオフセットさせて積み重ねた際に、上側のトレーの側板と、下側の側板との間の空間が大きくなる（遊びが大きくなる）。この場合、収納ケースを搬送した際に、トレーが周方向に回転して、収納されている情報記録媒体に傷等を与える恐れもある。それゆえ、本発明の収納ケースでは、底板の周方向と交差する側板の端部間の最大距離を、周方向に隣り合う側板の対向する端部間の最小距離より若干小さくすることが好ましい。
【００２０】
本発明の収納ケースでは、上記側板の底板側及び該底板側とは反対側の端部のうち、一方の端部に凸部が形成され、他方の端部に凹部が形成されており、上記トレーの側板を上記トレーの積み重ね方向に揃えて複数の上記トレーを積み重ねた際に、該積み重ね方向に隣接するトレー間で、一方のトレーの側板の凸部と他方のトレーの側板の凹部とが係合することが好ましい。このような構造にした場合には、トレーの側板をトレーの積み重ね方向に揃うようにしてトレーを積み重ねた際に、積み重ね方向に隣接するトレー間で側板の凸部と凹部とが係合するので、トレーが周方向に回転しないようにすることができる。
【００２１】
本発明の収納ケースでは、上記底板が、上記底板の上記貫通穴から上記側板が形成されていない上記底板の外縁に向かって延在した切り欠き部を有し、該切り欠き部の幅が上記貫通穴の径以上の大きさであることが好ましい。
【００２２】
トレーの底板にその貫通穴から側板が形成されていない外縁に向かって延在した切り欠き部（開口部）を設け、切り欠き部の幅を貫通穴の径以上（シャフトの径以上）とすることにより、収納ケース内にトレーを積み重ねた状態で、所望のトレーを底板の切り欠き部の延在方向に沿って引き抜くことによりシャフトからトレーを取り出すことができる。それゆえ、トレーを所望の位置に抜き出す際に、積み重ねられたトレーの最上位置のトレーから所望のトレーまで順次シャフトから取り外す必要が無くなる。また、逆に、収納ケース内にトレーを積み重ねた状態で、それらの収納ケースをシャフトから取り外すことなく、所望の位置にトレーを挿入することも可能になる。すなわち、トレーの底板に上述のような構造の切り欠き部を設けることにより、収納ケース内にトレーを積み重ねた状態で、所望の位置にトレーを抜き差しすることができ、使い勝手がより良くなる。
【００２３】
本発明の収納ケースでは、上記トレーが少なくとも２つの上記側板を有し、上記切り欠き部が、上記底板の上記貫通穴から２つの上記側板間の上記底板の外縁の中央に向かって延在しており、該２つの上記側板の上記切り欠き部側の端部間の最小距離が上記情報記録媒体の外径より大きいことが好ましい。トレーをこのような構造にすると、トレーを収納ケースから取り出す際に、トレー内に収納された情報記録媒体を持ち上げることなく、トレーを抜き出すことができる。
【００２４】
本発明の収納ケースでは、上記トレーの底板の少なくとも一方の表面に上記情報記録媒体を支持する支持部が設けられていることが好ましい。トレーの底板の少なくとも一方の表面に支持部を設けることにより、情報記録媒体をトレーに収納してトレーを積み重ねた際に、トレーと情報記録媒体とが直接接触することなく収容することができるので、トレーと情報記録媒体とが引っ付いて取れなくなったり、情報記録媒体の記録面に傷等を与えたりすることが無くなる。なお、本発明の収納ケースでは、情報記録媒体の中心穴近傍のリブの構造に応じて、底板のどちらの表面に支持部を設けるか設定し得る。なお、底板の両表面に支持部が設けた場合には、情報記録媒体のリブの構造に関係無く、トレーと情報記録媒体との接触を防止できるので、特に好ましい。
【００２５】
本発明の収納ケースでは、上記トレーの側板の上記底板の貫通穴側とは反対側の表面にインデックスラベルが設けられていることが好ましい。トレーにインデックスラベルを設けることにより、トレーに収容されている情報記録媒体の内容が一目で分かるので、情報記録媒体の管理・整理をより容易に行うことができる。
【００２６】
本発明の第２の態様に従えば、第１の態様に従う収納ケースに用いられるトレーであって、上記底板が、上記底板の上記貫通穴から上記側板が形成されていない上記底板の外縁に向かって延在した切り欠き部を有し、該切り欠き部の幅が上記貫通穴の径以上の大きさであることを特徴とするトレーが提供される。
【００２７】
なお、本発明の収納ケース及びトレーでは、トレーを積み重ねた際でも変形しないような剛性を備えることが好ましい。本発明のトレーの材質及び厚みは、上記剛性を備えていれば任意であり、トレーに収納される情報記録媒体の枚数等に応じて適宜変更可能であるが、特に、材質としてはプラスッチク等を用いることが好ましい。
【発明の効果】
【００２８】
本発明の収納ケースによれば、複数の情報記録媒体を収納するトレーを複数備えているので、情報記録媒体をトレー単位で小分けして収容することができる。それゆえ、複数の情報記録媒体をトレー単位で管理・整理することが可能となり、情報記録媒体の管理・整理が容易になる。特に、関連性のある情報を記録した情報記録媒体をトレー単位で整理して収納が可能であり、検索性が向上する。
【００２９】
また、本発明の収納ケースによれば、収納ケースを保存用収納ケースとして用いることができる。すなわち、大量の情報記録媒体の管理や収納を、情報記録媒体購入時の収納ケースで行うことができる。それゆえ、保存用の収納ケース等も不要となり、収納ケースも廃棄する必要が無くなるので、省資源化・省廃棄物化にも寄与することができる。
【００３０】
さらに、本発明の収納ケースによれば、トレーに情報記録媒体が収容されるので、従来より効率良く所望の情報記録媒体を取り出すことができ、情報記録媒体の検索性を向上させることができる。また、本発明の収納ケースによれば、トレーに情報記録媒体が収容されるので、トレーをガイド軸から外して机上などに置いても情報記録媒体の記録面が机上に直接接しないので、操作性も向上する。
【発明を実施するための最良の形態】
【００３１】
以下に、本発明の収納ケース及びトレーについて、図面を参照しながら具体的に説明するが、本発明はこれに限定されない。
【００３２】
第１実施形態
本発明の収納ケースの一実施形態の概略構成図を図１に示した。本実施形態の収納ケース１０は、光ディスクの収納ケースであり、図１に示すように、円板状のベース部材１１と、ベース部材１１の中心に取り付けられたシャフト１２、５枚のトレー１３と、各トレー１３の内部に収容された複数の光ディスクと、複数のトレー１３を覆う蓋１４とから構成される。
【００３３】
本実施形態では、１枚のトレー１０当たりの光ディスクの収納可能枚数を１０枚とした。それゆえ、本実施形態の収納ケースでは、最大１０枚×５（トレーの数）＝５０枚の光ディスクが収納可能である。
【００３４】
本実施形態のトレー１３の概略構成を図２に示した。図２は、トレー１３内に複数の光ディスク６が収納された状態の図であり、図２（ａ）は上面図であり、図２（ｂ）は図２（ａ）中のＡ−Ａ’断面図である。この例のトレー１３は、図２に示すように、円筒状の箱状部材であり、円板状の底板１３ａと、底板１３ａの外縁の一部から底板１３ａの表面に垂直方向に延在した２つの側板１３ｂとから構成されている。底板１３ａの中心には、図２（ａ）に示すように、シャフト１２が挿入される貫通穴１３ｃが設けられており、トレー１３の２つの側板１３ｂは貫通穴１３ｃを挟んで対向する位置に設けられている。この場合、図２（ａ）に示すように、２つの側板１３ｂの周方向に対向する２つの端部１３ｄ（以下、側端部ともいう）と、側板１３ｂが形成されていない底板１３ａの外縁部１３ｅの間に開口部が画成される。このように、２つの側板１３ｂの間に開口部を設けることにより、トレー１３に光ディスク６を収納した際に、この開口部に光ディスク６の外周端の一部を露出させることができ、トレー１３から光ディスク６の取り出しを容易にすることができる。
【００３５】
また、本実施形態では、図１に示すように、各トレー１３の側板１３ｂの外周側（底板１３ａの貫通穴１３ｃ側とは反対側）の側面にインデックスラベル（図１中のタイトルＡ〜Ｅ）を設けた。これにより、光ディスク６を収納ケース１０から取り出すまでも無く、一目でトレー１３内に収容されている光ディスクの内容が分かる。それゆえ、関連性のある情報を記録した光ディスクをトレー単位でより整理し易くなり、検索性も一層向上する。なお、本発明の収納ケースで１０は、各トレー１３の色を変える（カラーバリエーションをもたせる）ことにより、光ディスク６を管理しても良い。
【００３６】
上述のように、本実施形態の収納ケースでは、複数の光ディスクを収納するトレーを複数備えているので、光ディスクをトレー単位で小分けして収容することができる。それゆえ、関連性のある情報（例えば、連続テレビドラマ等）をトレー単位で記録して保存することができる。すなわち、本実施形態の収納ケースは保存用収納ケースとして用いることもできるので、複数の光ディスクをトレー単位で管理・整理することが可能となり、光ディスクの管理・整理が容易になる。
【００３７】
また、本実施形態の収納ケースでは、上述のように、収納ケースを保存用の収納体として用いることができるので、保存用の個別ケースも不要となり、記録媒体購入時の収納ケースも廃棄する必要が無くなるので、省資源化・省廃棄物化にも寄与することができる。
【００３８】
さらに、本実施形態の収納ケースでは、複数の光ディスクがトレー単位で小分けされて収容されるので、所望の光ディスクを収納ケースから探す際には、まず、所望の光ディスクが収納されているトレーを取り出し、次いで、取り出したトレー内から所望の光ディスクを取り出すので、従来の収納ケースのように収納ケース内に積み重ねられた複数の光ディスクの最上に位置する光ディスクから所望の光ディスクまで順次取り出す必要が無くなる。それゆえ、本実施形態の収納ケースでは、従来の収納ケースに比べて効率良く所望の光ディスクを取り出すことができる。
【００３９】
また、本実施形態の収納ケースでは、トレーに光ディスクが収容されるので、トレーをガイド軸から外して机上などに置いても光ディスクの記録面が机上に直接接しないので、操作性も向上する。
【００４０】
第２実施形態
第２実施形態のトレーの概略構成図を図３に示した。なお、図３（ａ）はこの例のトレーの上面図であり、図３（ｂ）は図３（ａ）中のＢ−Ｂ’断面図である。本実施形態の収納ケースでは、トレーの構造を変えたこと以外は第１実施形態と同様の構造とした。それゆえ、ここでは、トレーについてのみ説明し、他の構成部分の説明は省略する。
【００４１】
本実施形態のトレー２３は、図３（ａ）に示すように、円板状の底板２３ａと、底板２３ａの外縁部の一部から底板２３ａの表面に垂直方向に延在した２つの側板２３ｂとからなる。底板２３ａの中心には、図３（ａ）に示すように、シャフトが挿入される貫通穴２３ｃが設けられている。そして、トレー２３の貫通穴２３ｃを間に挟んで対向する底板２３ａの外縁の位置に２つの側板２３ｂを設けた。すなわち、２つの側板５３ｂを底板５３ａの周方向（外縁部に沿った方向）に１８０度間隔で設けた。なお、側板２３ｂの側端部２３ｄは、底板２３ａの径方向に且つ底板２３ａの表面に対して垂直方向に切り欠かれている。
【００４２】
また、この例のトレー２３では、図３（ａ）に示すように、底板２３ａの貫通穴２３ｃから底板２３ａの側板２３ｂが形成されていない一方の外縁部２３ｅ（２つの側板２３ｂ間の底板２３ａの外縁部）の中央に向かって延在した幅一定の切り欠き部２３ｆを設けた。この切り欠き部２３ｆの幅は、底板２３ａの貫通穴２３ｃの径と同じとした。なお、本実施形態の収納ケース２３では、後述するように、切り欠き部２３ｆの延在方向に沿ってトレー５３を引き抜くので、切り欠き部２３ｆの幅はシャフトの径より大きければ良い。
【００４３】
また、本実施形態のトレー２３は、図３（ａ）に示すように、第１実施形態より側板２３ｂの側端部２３ｄ間の距離Ｗ１（側板２３ｂ間の最小距離）を大きくした。具体的には、側板２３ｂの側端部２３ｄ間の距離Ｗ１（幅）を１２１ｍｍとし、トレー２３に収容される光ディスク６の外径より若干大きくなるように形成した。
【００４４】
トレー２３の上述のような構造にすると、収納ケース内にトレー２３を積み重ねた状態で、所望のトレー２３を底板２３ａの切り欠き部２３ｆの延在方向に沿って引き抜くことにより、トレー２３をシャフトから取り出すことができる。それゆえ、所望のトレーを取り出す際に、積み重ねられた最上位置のトレーから所望のトレーまで順次シャフトから取り外す必要が無くなる。また、逆に、収納ケース内にトレーを積み重ねた状態で、所望の位置にトレーを挿入することも可能になる。すなわち、上述のような構造のトレーを用いることにより、収納ケース内にトレーを積み重ねた状態で、所望の位置にトレーを抜き差しすることができ、一層使い勝手が良くなる。
【００４５】
なお、トレー２３の底板２３ａの切り欠き部２３ｆの外周側端部は、エッジを無くして外側に向かって幅広となるような形状にしても良い。このような形状にした場合には、シャフトの挿入が容易になる。また、トレー２３の底板２３ａの切り欠き部２３ｆの貫通穴側端部近傍には、トレー２３がシャフトから簡単に外れないようにするためにストッパーとなる突起を設けても良い。
【００４６】
本実施形態の収納ケースでは、第１実施形態の収納ケースと同様に、複数の光ディスクを収納するトレーを複数備えているので、光ディスクをトレー単位で小分けして収容することができ、収納ケースを保存用の収納ケースとして用いることができるので、第１実施形態と同様の効果が得られる。
【００４７】
第３実施形態
第３実施形態の収納ケースの概略構成図を図４及び５に示した。図４は、収納ケースの外観の斜視図であり、図５は、収納ケースの内部の概略構成を示した図である。本実施形態の収納ケース３０は、図４及び５に示すように、蓋３４と、円板状のベース部材３１と、ベース部材３１の中心に取り付けられたシャフト３２と、５枚のトレー３３と、各トレー３３の内部に収容された複数の光ディスク６とから構成される。なお、図５は、トレー３３の後述する側板がトレー３３の積み重ね方向に並ぶようにしてトレー３３が積み重ねられて収納されている様子を示している。
【００４８】
本実施形態では、トレー３３の１枚当たりの光ディスク６の収納可能枚数を１０枚とした。それゆえ、本実施形態の収納ケース３０では、最大１０枚×５（トレーの数）＝５０枚の光ディスク６が収納可能である。
【００４９】
ベース部材３１は、図５に示すように円板状部材であり、その径はトレー３３の外径より大きくした。また、ベース部材３１の中心には、十字状の穴（不図示）が形成されており、後述するように、この十字穴にシャフト３２の一方の端部を差し込むことによりシャフト３２がベース部材３１に固定される。
【００５０】
この例のシャフト３２の概略構成を図６に示した。図６（ａ）はシャフト３２の上面図であり、図６（ｂ）は側面図であり、図６（ｃ）は下面図であり、そして、図６（ｄ）は図６（ｂ）中のＣ−Ｃ’断面図である。シャフト３２は、図６に示すように、棒状部材であり、主に、軸部３２ａと、軸部３２ａの下端部（図６中では下側の端部）に設けられた固定部３２ｂとから構成される。軸部３２ａの断面は、図６（ｄ）に示すように、十字状である。すなわち、シャフト３２は肉抜き構造となっている。なお、この例のシャフト３２の軸部３２ａの径（図６（ｄ）中のＲ）は１４．８ｍｍとした。また、軸部３２ａの先端部（固定部３２ｂ側とは反対側の端部）は、トレー３３及び光ディスク６を挿入し易くするために、先細り形状となっている。シャフト３２の固定部３２ｂは、図６（ｃ）に示すように、十字状の板状部材であり、その径は軸部３２ａより大きく、且つ、上述したベース部材３１の中心に設けられた十字穴の径より若干小さくした。シャフト３２は、シャフト３２の固定部３２ｂを上述したベース部材３１の中心に設けられた十字穴に差込み、その状態でベース部材３１に対してその周方向にシャフト３２を回転させることによりベース部材３１に固定される。
【００５１】
本実施形態のトレー３３の概略構成を図７に示した。図７（ａ）はトレー３３の斜視図であり、図７（ｂ）は図７（ａ）中のＤ−Ｄ’断面図である。この例のトレー３３は、図７（ａ）に示すように、略円筒状の箱状部材であり、略円板状の底板３３ａと、底板３３ａの外縁の一部から底板３３ａの表面に垂直方向に延在した２つの側板３３ｂとからなる。
【００５２】
トレー３３の底板３３ａには、図７（ａ）に示すように、その中心にシャフト３２が挿入される貫通穴３３ｃを設けた。また、トレー３３の側板３３ｂは、図７（ａ）に示すように、トレー３３の貫通穴３３ｃを間に挟んで対向する位置に設けた。すなわち、２つの側板３３ｂを底板３３ａの周方向（外縁部に沿った方向）に１８０度間隔で設けた。なお、側板３３ｂの周方向に垂直な端部３３ｄ（以下、側端部ともいう）は、底板３３ａの径方向に且つ底板３３ａの表面に対して垂直方向に切り欠かれている。また、トレー３３の底板３３ａの側板３３ｂが形成されていない外縁部３３ｅは直線状に切り欠かれている。
【００５３】
本実施形態のトレー３３では、側板３３ｂの側端部３３ｄ間の距離（図７（ａ）中のＷ２）を、２つの側板３３ｂ間で周方向に対向する側端部３３ｄ間の距離、すなわち、底板３３ａの外縁部３３ｅの長さ（図７（ａ）中のＷ１）より若干小さくなるように側板３３ｂを形成した。
【００５４】
また、トレー３３の底板３３ａ上下面の貫通穴３３ｃの周囲には、図７（ａ）及び（ｂ）に示すように、リング状に突出した支持部３３ｈを設けた。底板３３ａの上面（光ディスク収納側）の支持部３３ｈは、該トレー３３に収納される光ディスク６を支持して光ディスクの記録面が底板３３ａに直接接触しないようにするためのものであり、底板３３ａの下面の支持部３３ｈは、トレーを積み重ねた際に、該トレー３３の下部に位置するトレーに収容されている最上位置の光ディスクの記録面と該トレー３３の下面とが接触しないようにするためのものである。また、このように底板３３ａ上下面の貫通穴３３ｃの周囲に支持部３３ｈを設けることにより、例えば、トレー３３がお椀状に変形しても光ディスク６を変形させないように収納することができる。また、底板３３ａに支持部３３ｈを設けることにより、トレー３３と光ディスクとの間に隙間を保ちつつ、トレー３３に収容される光ディスクの重量を支持部３３ｈで支えることができるので、トレー３３の側板３３ｂで光ディスクの重量を支えなくても１１枚以上の光ディスクを仕切って収納することが可能である。
【００５５】
また、本実施形態のトレー３３では、図７（ｂ）に示すように、側板３３ｂの底板３３ｂ側の端部（以下、下端部ともいう）には、側板３３ｂの厚さが薄くなる方向に段差３３ｆを設け、側板３３ｂの底板３３ｂ側とは反対側の端部（以下、上端部ともいう）には、トレー３３の径方向外側に突き出るような鉤状の突出部３３ｇを設けた。また、段差３３ｆの外径が突出部３３ｇの内壁部の径より若干小さくなるように形成した。トレー３３をこのような構造にすることにより、トレー３３を図５のように積み重ねた際に、上側に積み重ねられるトレー３３（以下、上側のトレー３３ともいう）の側板３３ｂの段差３３ｆがその下側に位置するトレー（以下、下側のトレー３３ともいう）の側板３３ｂの突出部３３ｇの内壁側に嵌まり込み、上側のトレー３３の下面が下側のトレー３３の突出部３３ｇの底部で支持される。それゆえ、トレー３３の側板３３ｂに図７（ｂ）に示すような段差３３ｆ及び突出部３３ｇを設けることにより、トレー３３に光ディスクが１０枚入っていなくても図５に示すように積み重ねて収納が可能である。
【００５６】
この例のトレー３３の具体的な寸法は次の通りである。トレー３３はポリカーボネイト製であり、底板３３ａの直径を１２３ｍｍ、厚みを１ｍｍとし、側板３３ｂの内径は１２１ｍｍ、高さは１５ｍｍ、厚さは１ｍｍとした。底板３３ａの中心に設けられた貫通穴３３ｃの径は、収納する光ディスク６の中心穴の径と同じとし、１５ｍｍとした。また、側板３３ｂの側端部３３ｄ間の距離Ｗ２は８５ｍｍとし、底板３３ａの側板３３ｂが形成されていない外縁部３３ｅの幅Ｗ１は８６ｍｍとした。
【００５７】
上記トレー３３に複数の光ディスク６を収納した様子を表わした図面が図８である。この例では、光ディスク６の外径が１２０ｍｍであり、トレー３３の側板３３ｂの内径が１２１ｍｍであるので、図８に示すように、光ディスク６の外縁部とトレー３３の側板３３ｂとの間にほとんど隙間の無い状態で収納することができる。この状態でトレー３３の貫通穴３３ｃ及び光ディスク６の中心穴６ｃにシャフト３２を挿入し、トレー３３の側板３３ｂがトレー３３の積み重ね方向に揃う（並ぶ）ように積み重ねると、図５に示すような状態で複数のトレー３３を収納することができる。
【００５８】
また、本実施形態の収納ケース３０のトレー３３では、図７（ａ）に示すように、２つの側板３３ｂがトレー３３の周方向に１８０度間隔で設けられ且つ側板３３ｂの側端部３３ｄ間の距離Ｗ２が底板３３ａの外縁部３３ｅの幅Ｗ１より若干小さくなるように形成されている。それゆえ、トレー３３を積み重ねる際に、下側のトレーの光ディスクの収納枚数が、トレーの収納可能枚数より少ない場合、上側のトレー３３の側板３３ｂを下側のトレー３３の側板３３ｂに対して９０度回転させた状態（側板３３ｂをオフセットして）で積み重ねると、上側のトレーの側板３３ｂが下側のトレー３３の側板３３ｂ間のスペースに嵌り込んだ状態でトレーを積み重ねることができる。その様子を示したのが図９及び１０であり、この積み重ね方法について、以下に、図９及び１０を用いてより具体的に説明する。
【００５９】
図９は、２つのトレー３３を積み重ねる直前の様子を示した図であり、図１０は２つのトレー３３を積み重ねた状態の様子を示した図である。図９に示すように、下側のトレー３３の光ディスク６の収納枚数がトレー３３の収納可能枚数より少ない場合に、トレー３３の側板３３ｂを積み重ね方向に揃えて積み重ねると（図５のように積み重ねると）、下側のトレー３３に収納されている光ディスク６の最上位置の光ディスク６と上側のトレー３３の下面との間にスペースができてしまうので、この場合には、収納ケースに、収納ケースの収納可能枚数の光ディスクを収納ケースに収納できなくなる恐れがある。しかしながら、本実施形態のトレー３３では、図７（ａ）に示すように、２つの側板３３ｂがトレー３３の周方向に１８０度間隔で設けられ且つ側板３３ｂの側端部３３ｄ間の距離Ｗ２が底板３３ａの外縁部３３ｅの幅Ｗ１より若干小さくなるように形成されているので、図１０に示すように、上側のトレー３３の側板３３ｂと下側のトレー３３の側板３３ｂとをトレー３３の周方向に９０度シフトするようにして積み重ねると、上側のトレー３３の側板３３ｂが下側のトレー３３の側板３３ｂ間に嵌まり込むような状態で積み重ねることができる。
【００６０】
トレー３３をこのような構造にしておくと、下側のトレー３３の光ディスク６の収納枚数がトレーの収納可能枚数（この例では１０枚）より少なくなった場合でも、図１０に示すように、上側のトレー３３の下面と、下側のトレー３３内の最上位置の光ディスク６との間の隙間を無くして収納することができる。それゆえ、本実施形態の収納ケース３０では、収納ケースの高さ方向（積み重ね方向）に隙間なく効率よく光ディスクを収納することができる。また、本実施形態の収納ケース３０において、図５に示すように、トレー３３の側板３３ｂがトレー３３の積み重ね方向に揃う（並ぶ）ように積み重ねると、側板３３ｂの上端部で上側のトレー３３に収納されている全光ディスク６の重量を支えるため、下側のトレー３３に収容されている１枚の光ディスクに加わる重量は光ディスク９枚以下の重量となる。それゆえ、本実施形態の収納ケース３０では、従来の収納ケース（図１２）に比べて、収納されている光ディスクに加わる重量（ストレス）が小さくなるため光ディスクの長期にわたる保存特性を良好に保つことが可能である。
【００６１】
なお、本実施形態の収納ケースでは、第１実施形態の収納ケースと同様に、複数の光ディスクを収納するトレーを複数備えているので、光ディスクをトレー単位で小分けして収容することができ、収納ケースを保存用の収納ケースとして用いることができるので、第１実施形態と同様の効果が得られる。
【００６２】
また、本実施形態の収納ケースにおいても、各トレーに、図１に示すようにインデックスラベル（図１中のタイトルＡ〜Ｅ）を設けても良い。インデックスラベルを設けておくことにより、トレーに収納している光ディスクの内容を容易に確認することができるので、購入時の収納ケースを利用して、光ディスクの整理が容易になる。
【００６３】
さらに、本実施形態の収納ケースにおいても、トレーの構造を第２実施形態と同じ構造、すなわち、トレーの底板に、底板の貫通穴から底板の側板の形成されていない外縁部に向かって延在した切り欠き部を設けても良い。この場合には、第２実施形態で説明したように、収納ケースの使い勝手がさらに良くなる。
【００６４】
第４実施形態
第４実施形態の収納ケースの概略構成図を図１１に示した。なお、図１１は本実施形態の収納ケースの内部の概略構成を示した図である。本実施形態の収納ケースでは、トレーの構造を変えたこと以外は第１実施形態と同様の構造とした。それゆえ、ここでは、トレーについてのみ説明し、他の構成部分の説明は省略する。
【００６５】
本実施形態のトレー４３は、図１１に示すように、トレー４３の側板４３ｂの構造が実施例１と異なり、それ以外は実施例１と同じ構造とした。本実施形態のトレー４３では、図１１に示すように、トレー４３の側板４３ｂの下端部（底板４３ｄ側の端部）の中央部分に凹部４３ｉを設け、側板４３ｂの上端部（底板４３ｄ側とは反対側の端部）の中央部分に凸部４３ｊを設けた。側板４３ｂの凸部４３ｊはその先端に向かって先細り形状となっており、凸部４３ｊの最大幅は側壁４３ｂの凹部４３ｉの開口幅より若干狭くなるように形成した。このトレー４３の側板４３の凹部４３ｉ及び凸部４３ｊは、トレー４３が収納ケース内で周方向に回転しないようにするために設けた。トレー４３の回り止めの原理は次の通りである。
【００６６】
上述のような構造のトレー４３を、その側板４３ｂが積み重ね方向に揃うように積み重ねると、図１１に示すように、トレー４３の側板４３ｂの凹部４３ｉがその下側に位置するトレー４３の側板４３ｂの凸部４３ｊと嵌合して積み重ねられる。このようにしてトレー４３を積み重ねると、外部からの振動等などにより、トレー４３が収納ケース内で周方向に回転することはない。
【００６７】
なお、本実施形態の収納ケースでは、第２実施形態の収納ケースと同様に、複数の光ディスクを収納するトレーを複数備えているので、光ディスクをトレー単位で小分けして収容することができ、収納ケースを保存用の収納ケースとして用いることができるので、第２実施形態と同様の効果が得られる。
【００６８】
また、本実施形態の収納ケースにおいても、各トレーに、図１に示すようにインデックスラベル（図１中のタイトルＡ〜Ｅ）を設けても良い。インデックスラベルを設けておくことにより、トレーに収納している光ディスクの内容を容易に確認することができるので、購入時の収納ケースを利用して、光ディスクの整理が容易になる。
【００６９】
さらに、本実施形態の収納ケースにおいても、トレーの構造を第２実施形態と同じ構造、すなわち、トレーの底板に、底板の貫通穴から底板の側板の形成されていない外縁部に向かって延在した切り欠き部を設けても良い。この場合には、第２実施形態で説明したように、収納ケースの使い勝手がさらに良くなる。
【００７０】
上記第１〜４実施形態では、シャフトをベース部材に取り付けた例を説明したが、本発明はこれに限定されず、シャフトを蓋に取り付けても良い。この場合には、蓋を外した後に所望のトレーより上側に積み重ねられているトレーを少し持ち上げることにより所望のトレーを抜き出すことができ、使い勝手も良くなる。
【００７１】
上記第１〜４実施形態では、ベース部材を別個設けた例を説明したが、本発明はこれに限定されない。積み重ねられたトレーのうち最下位置のトレーがベース部材を兼ねるような構造にしても良い。また、上記第１〜４実施形態では、シャフトとベース部材とを別個に設けた例を説明したが、本発明はこれに限定されず、シャフトとベース部材とが一体的に形成されていても良い。
【００７２】
上記第１〜４実施形態では、蓋を別個設けた例を説明したが、本発明はこれに限定されない。積み重ねられたトレーのうち最上位置のトレーが蓋の機能も有するような構造にしても良い。また、本発明の収納ケースでは蓋が無くても良い。このような収納ケースを出荷する場合には、トレーを積み重ねた状態でラッピング等を行い出荷することが好ましい。
【００７３】
上記第１〜４実施形態では、２つの側板を底板の周方向に１８０度間隔で設けた例を説明したが、本発明はこれに限定されない。側板の数をＮとしたときに、側板を底板の周方向に（３６０／Ｎ）度間隔で設ければ、側板の数は任意である。例えば、３つの側板を底板の周方向に１２０度間隔で設けても良いし、４つの側板を底板の周方向に９０度間隔で設けても良い。
【産業上の利用可能性】
【００７４】
本発明の収納ケースでは、上述のように、大量のディスク状情報記録媒体が収納可能であり且つその管理が容易であるので、大量の情報記録媒体を使用するヘビーユーザー向けの収納ケースとして好適である。また、本発明の収納ケースは、上述のように、保存用の収納ケースとしても用いることができるので、近年の省資源・省廃棄物という傾向に適した収納ケースである。
【図面の簡単な説明】
【００７５】
【図１】図１は、第１実施形態の収納ケースの概略構成図である。
【図２】図２は、第１実施形態の収納ケースにおけるトレーの概略構成図であり、図２（ａ）は上面図であり、図２（ｂ）は図２（ａ）中のＡ−Ａ’断面図である。
【図３】図３は、第２実施形態の収納ケースにおけるトレーの概略構成図であり、図３（ａ）は上面図であり、図３（ｂ）は図３（ａ）中のＢ−Ｂ’断面図である。
【図４】図４は、第３実施形態の収納ケースの外観を示した図である。
【図５】図５は、第３実施形態の収納ケース内部の概略構成を示した図である。
【図６】図６は、第３実施形態の収納ケースにおけるシャフトの概略構成図であり、図６（ａ）は上面図であり、図６（ｂ）は側面図であり、図６（ｃ）は下面図であり、そして、図６（ｄ）は図６（ｂ）中のＣ−Ｃ’断面図である。
【図７】図７は、第３実施形態の収納ケースにおけるトレーの概略構成図であり、図７（ａ）は斜視図であり、図７（ｂ）は図７（ａ）中のＤ−Ｄ’断面図である。
【図８】図８は、第３実施形態のトレーに複数の光ディスクを収納した際の様子を示した図である。
【図９】図９は、２つのトレーを積み重ねる直前の様子を示した図である。
【図１０】図１０は、２つのトレーを積み重ねる際の様子を示した図である。
【図１１】図１１は、第４実施形態の収納ケース内部の概略構成を示した図である。
【図１２】図１２は、従来の収納ケースの概略構成図である。
【符号の説明】
【００７６】
６  光ディスク
１０，３０  収納ケース
１１，３１  ベース部材
１２，３２  シャフト
１３，２３，３３，４３  トレー
１３ａ，２３ａ，３３ａ，４３ａ  底板
１３ｂ，２３ｂ，３３ｂ，４３ｂ  側板
１３ｃ，２３ｃ，３３ｃ，４３ｃ  貫通穴
１４，３４  蓋
１５  インデックスラベル
２３ｆ  切り欠き部
【図１】
2007191191.tif 000003
【図２】
2007191191.tif 000004
【図３】
2007191191.tif 000005
【図４】
2007191191.tif 000006
【図５】
2007191191.tif 000007
【図６】
2007191191.tif 000008
【図７】
2007191191.tif 000009
【図８】
2007191191.tif 000010
【図９】
2007191191.tif 000011
【図１０】
2007191191.tif 000012
【図１１】
2007191191.tif 000013
【図１２】
2007191191.tif 000014